(57)【特許請求の範囲】
【請求項１】
板状のテーブル板と、
床面に対して立てて設けられた基部に設けられ、前記テーブル板を、前記テーブル板の主たる面が略上下方向に拡がる収納位置と、該収納位置よりも前記テーブル板が上方に位置する上方位置と、前記上方位置にある前記テーブル板を回転させて前記主たる面が略水平方向に拡がる形態となる使用位置と、を含む範囲で変位可能に支持する可動機構部と、
前記基部に設けられ、前記収納位置に位置する前記テーブル板における前記基部側とは反対側の面の少なくとも一部を覆う被覆部と、
前記使用位置にあるテーブル板の下側に位置する面である下面に接触する接触部を有し、該接触部にて前記テーブル板を下方から支持する支持位置と、前記接触部が前記支持位置よりも前記基部側に変位した基部側位置と、を含む範囲で、所定の回転軸を中心として回転可能である支持部と、
前記支持部における前記回転軸の中心から離れた位置に備えられる当接部と、
前記支持部が所定方向に回転した際に、前記当接部と接触することによって前記支持部が予め設定した以上に前記所定方向に回転することを抑制する回転抑制部と、
を備え、
前記支持部の少なくとも一部は、前記テーブル板と、前記被覆部と、の間の領域に配置されている
ことを特徴とする収納式テーブル。
【請求項２】
板状のテーブル板と、
床面に対して立てて設けられた基部に設けられ、前記テーブル板を、前記テーブル板の主たる面が略上下方向に拡がる収納位置と、該収納位置よりも前記テーブル板が上方に位置する上方位置と、前記上方位置にある前記テーブル板を回転させて前記主たる面が略水平方向に拡がる形態となる使用位置と、を含む範囲で変位可能に支持する可動機構部と、
前記基部に設けられ、前記収納位置に位置する前記テーブル板における前記基部側とは反対側の面の少なくとも一部を覆う被覆部と、
所定の回転軸を中心として回転可能であって、それぞれ異なる方向に延び出す接触部及び延出部を有する支持部と、
前記支持部が所定方向に回転した際に、前記延出部と接触することによって前記支持部が予め設定した以上に前記所定方向に回転することを抑制する回転抑制部と、
を備え、
前記支持部は、前記接触部が前記使用位置にある前記テーブル板の下側に位置する面である下面に接触し、かつ前記延出部が前記回転抑制部に接触することにより、前記テーブル板を下方から支持する支持位置と、前記接触部が前記支持位置よりも前記基部側に変位した基部側位置と、を含む範囲で回転可能であり、
前記延出部は、前記収納位置に位置する前記テーブル板と、前記被覆部と、の間の領域に位置する
ことを特徴とする収納式テーブル。
【請求項３】
前記支持部の回転軸は、前記テーブル板が前記収納位置と前記使用位置のいずれに位置する場合においても前記主たる面と平行になる方向に長さを有しており、前記被覆部の上側の領域において、前記被覆部の上端部に沿って設けられている
ことを特徴とする請求項１又は請求項２に記載の収納式テーブル。
【請求項４】
前記支持部を前記支持位置から前記基部側位置に向けて付勢する付勢手段を備え、
前記支持部は、前記テーブル板が前記上方位置から前記使用位置に向けて回転するときに、前記接触部が前記テーブル板の下面と接触して前記支持位置に向けて押圧され、前記下面における接触位置を変化しながら前記支持位置に移動する
ことを特徴とする請求項１から請求項３のいずれか１項に記載の収納式テーブル。
【請求項５】
前記付勢手段は、スプリングコイルであって、
前記スプリングコイルは、該スプリングコイルの軸が前記回転軸と同じ方向となるように前記支持部の内部に配置されている
ことを特徴とする請求項４に記載の収納式テーブル。
【請求項６】
前記テーブル板における前記下面に設けられる突出部を備え、
前記テーブル板が前記収納位置のときに、前記突出部は、前記支持部と接触する
ことを特徴とする請求項１から請求項５のいずれか１項に記載の収納式テーブル。
【請求項７】
前記支持部は、該支持部を前記支持位置から前記基部側位置に向けて回転させたときには、前記延出部が前記被覆部の内側面と接触することにより、その位置からの回転が抑制される
ことを特徴とする請求項２及び請求項２を引用する請求項３から請求項６、のいずれか１項に記載の収納式テーブル。
【請求項８】
前記テーブル板には、前記収納位置において、前記支持部よりも上方の位置において前記基部から離れる方向に延び出す手掛け部が設けられている
ことを特徴とする請求項１から請求項７のいずれか１項に記載の収納式テーブル。
【発明の詳細な説明】
【技術分野】
【０００１】
本発明は、椅子の背凭れの背面などに配置される収納可能なテーブルに関する。
【背景技術】
【０００２】
椅子の背凭れの背面等に取り付けられる収納式テーブルとして、略水平な使用位置にあるテーブル本体を回動して略直立した収納位置とするように構成されているものがある。
このような収納式テーブルとして、左右にステーを配置し、ステーが椅子の背凭れから離れるように回転することで、テーブルを支える支点の距離を長くすることができる装置を備えるものがある。このようなステーが設けられている場合、ステーとテーブルの間に指などを挟みやすいという問題があった。
【０００３】
従来、ステーとテーブルが独立しており、ステーがテーブルの下面に沿って動く収納式テーブルが提案されている（特許文献１参照）。このような収納式テーブルは指などが挟まりにくく、また仮に挟まったとしても大きな損傷を負う危険が抑制される。
【先行技術文献】
【特許文献】
【０００４】
【特許文献１】特開２０１４−１０４１１７号公報
【発明の概要】
【発明が解決しようとする課題】
【０００５】
上記特許文献１の収納式テーブルは使用時の危険を低減することができるが、当然ながら、完全に危険が無くなるわけではない。また、上記特許文献１の構成は収納時にテーブル本体を覆う箱型などの被覆部を有さない構成であり、被覆部を有する構成に特有の危険も存在する。よって、上記特許文献１の構成だけではなく、他にも様々な危険を低減するための工夫が望まれている。
【０００６】
本発明の目的は、安全性の向上を図ることができる収納式テーブルを提案することである。
【課題を解決するための手段】
【０００７】
本発明の第１の態様は、板状のテーブル板と、床面に対して立てて設けられた基部に設けられ、上記テーブル板を、上記テーブル板の主たる面が略上下方向に拡がる収納位置と、該収納位置よりも上記テーブル板が上方に位置する上方位置と、上記上方位置にある上記テーブル板を回転させて上記主たる面が略水平方向に拡がる形態となる使用位置と、を含む範囲で変位可能に支持する可動機構部と、上記基部に設けられ、上記収納位置に位置する上記テーブル板における上記基部側とは反対側の面の少なくとも一部を覆う被覆部と、上記使用位置にあるテーブル板の下側に位置する面である下面に接触する接触部を有し、該接触部にて上記テーブル板を下方から支持する支持位置と、上記接触部が上記支持位置よりも上記基部側に変位した基部側位置と、を含む範囲で、所定の回転軸を中心として回転可能である支持部と、を備え、上記支持部は、上記テーブル板と、上記被覆部と、の間の領域に配置されていることを特徴とする収納式テーブルである。
【０００８】
このような収納式テーブルでは、支持部がテーブル板と被覆部との間に配置されているため、支持部により被覆部とテーブル板との間の隙間を埋めることができ、その隙間を小さくすることができる。よって、その隙間に指などが進入する危険を低減することができ、安全性の向上を図ることができる。
【０００９】
本発明の第２の態様は、板状のテーブル板と、床面に対して立てて設けられた基部に設けられ、上記テーブル板を、上記テーブル板の主たる面が略上下方向に拡がる収納位置と、該収納位置よりも上記テーブル板が上方に位置する上方位置と、上記上方位置にある上記テーブル板を回転させて上記主たる面が略水平方向に拡がる形態となる使用位置と、を含む範囲で変位可能に支持する可動機構部と、上記基部に設けられ、上記収納位置に位置する上記テーブル板における上記基部側とは反対側の面の少なくとも一部を覆う被覆部と、所定の回転軸を中心として回転可能であって、それぞれ異なる方向に延び出す接触部及び延出部を有する支持部と、上記支持部が所定方向に回転した際に、上記延出部と接触することによって上記支持部が予め設定した以上に上記所定方向に回転することを抑制する回転抑制部と、を備え、上記支持部は、上記接触部が上記使用位置にある上記テーブル板の下側に位置する面である下面に接触し、かつ上記延出部が上記回転抑制部に接触することにより、上記テーブル板を下方から支持する支持位置と、上記接触部が上記支持位置よりも上記基部側に変位した基部側位置と、を含む範囲で回転可能であり、上記延出部は、上記収納位置に位置する上記テーブル板と、上記被覆部と、の間の領域に位置することを特徴とする収納式テーブルである。
【００１０】
このような収納式テーブルでは、テーブル板が収納位置にあるときに、延出部が被覆部とテーブル板との間に位置しているため、延出部は被覆部によって外部から指などで接触しにくい位置となる。よって、延出部と回転抑制部やテーブル板との隙間に指などが進入する危険を低減することができ、安全性の向上を図ることができる。
【００１１】
なお、上述した各収納式テーブルにおいて、上記支持部の回転軸は、上記テーブル板が上記収納位置と上記使用位置のいずれに位置する場合においても上記主たる面と平行になる方向に長さを有しており、上記被覆部の上側の領域において、上記被覆部の上端部に沿って設けられている構成としてもよい。
【００１２】
このような収納式テーブルでは、支持部の回転軸が被覆部の上端部に沿って配置されているため、支持部が回転したときに支持部と被覆部との間の間隔が変化しにくい。よって、支持部の回転に伴う支持部と被覆部との隙間の大きさの変化が抑制されるため、その隙間が大きくなることを抑制でき、また仮にその隙間に指などが進入しても挟まれにくくなる。
【００１３】
また、上述した各収納式テーブルは、上記支持部を上記支持位置から上記基部側位置に向けて付勢する付勢手段を備え、上記支持部は、上記テーブル板が上記上方位置から上記使用位置に向けて回転するときに、上記接触部が上記テーブル板の下面と接触して上記支持位置に向けて押圧され、上記下面における接触位置を変化しながら上記支持位置に移動する構成であってもよい。
【００１４】
このような収納式テーブルでは、支持部が回転するときに支持部とテーブル板とが接触した状態となるため、その間に指などが挟まれてしまう危険を低減できる。
さらに、上記付勢手段は、スプリングコイルであって、上記スプリングコイルは、該スプリングコイルの軸が上記回転軸と同じ方向となるように上記支持部の内部に配置されている構成としてもよい。
【００１５】
また、上述した収納式テーブルは、上記テーブル板における上記下面に設けられる突出部を備え、上記テーブル板が上記収納位置のときに、上記突出部は、上記支持部と接触するように構成されていてもよい。
【００１６】
このような収納式テーブルでは、突出部と支持部とが接触することで、テーブル板のがたつきを抑制することができる。
また、上述した第２の態様の収納式テーブルにおいて、上記支持部は、該支持部を上記支持位置から上記基部側位置に向けて回転させたときには、上記延出部が上記被覆部の内側面と接触することにより、その位置からの回転が抑制されるように構成されていてもよい。
【００１７】
このような収納式テーブルでは、延出部は被覆部の内側面と接触するため、その接触する領域に指などが進入しにくくなっている。よって、指などが延出部により挟まれる危険を低減できる。
【００１８】
また、上述した収納式テーブルにおける上記テーブル板には、上記収納位置において、上記支持部よりも上方の位置において上記基部から離れる方向に延び出す手掛け部が設けられていてもよい。
【００１９】
このような収納式テーブルでは、使用者は手掛け部を持ってテーブル板を操作することができる。特に使用者がテーブル板を上下に操作するときに都合がよい。
【図面の簡単な説明】
【００２０】
【図１】収納式テーブルが椅子に設けられた状態を示す側面図である。
【図２】収納式テーブルを示す斜視図であって、（Ａ）が収納位置の場合を示す図であり、（Ｂ）が上方位置の場合を示す図であり、（Ｃ）が使用位置の場合を示す図である。
【図３】収納式テーブルを示す右側面図であって、（Ａ）が収納位置の場合を示す図であり、（Ｂ）が右側部を外した状態の収納位置の場合を示す図であり、（Ｃ）が右側部を外した状態の上方位置の場合を示す断面図である。
【図４】（Ａ）が収納式テーブルの平面図であり、（Ｂ）が収納式テーブルの正面図である。
【図５】収納式テーブルを示す左側面図である。
【図６】（Ａ）〜（Ｅ）が、主板の変位にもとづく支持部の回転を説明する図である。
【図７】支持部の分解斜視図である。
【図８】（Ａ）、（Ｂ）とも、支持部の左半分を示す斜視図である。
【図９】主板の下端の形状を説明する図である。
【図１０】手掛け部の下方の挿入空間を説明する図である。
【発明を実施するための形態】
【００２１】
以下に本発明の実施形態を図面と共に説明する。
［実施形態］
（１）収納式テーブルの全体構成
本実施形態の収納式テーブル１は、図１に示すように、床面に設置された椅子３の背板５に設けられる。背板５は床面に対して立てて設けられた平板状の部材である。この背板５が本発明における基部の一例である。
【００２２】
収納式テーブル１の詳細な構成を図２〜図５を用いて説明する。図２（Ａ）、図３（Ａ），（Ｂ）、及び図４（Ａ），（Ｂ）の右半分は、後述するテーブル板１１が収納位置にある状態を示す。また図２（Ｂ）、及び図３（Ｃ）はテーブル板１１が上方位置にある状態を示す。また図２（Ｃ）、図４（Ａ），（Ｂ）の左半分、及び図５の実線で示す部分はテーブル板１１が使用位置にある状態を示す。
【００２３】
収納式テーブル１は、テーブル板１１と、背板５に設けられ、収納位置に位置するテーブル板１１を収納する収納部２１とを有する。
テーブル板１１は、平板状の主板１３と、手掛け部１５と、左右一対の支持軸１７と、を有する。手掛け部１５は、収納位置にある主板１３の上端に設けられ、左右方向に長さを有し、主板１３よりも前方に突出している。
【００２４】
支持軸１７は、円柱形状であって、収納位置における主板１３の下端側の左右側方において外側に突出する。この支持軸１７は、後述する操作補助ユニット６１の左右に設けられた腕部６９に形成された貫通穴６９ａにて回転可能に軸支されている。操作補助ユニット６１は上下方向にのみ移動するものであるため、支持軸１７も上下方向にのみ移動する。
【００２５】
テーブル板１１は、収納位置、上方位置、下方位置を含む範囲で変位可能である。収納位置とは、テーブル板１１が相対的に下方にあり、背板５と隣り合い、テーブル板１１の主たる面（主板１３）が略上下方向に拡がる位置である。また上方位置とは、収納位置よりも相対的に上方であり、前方への回転が可能となる位置である。また使用位置とは、上方位置にあるテーブル板１１が前方に回転し、主板１３が略水平方向に拡がる形態となった位置である。
【００２６】
収納部２１は、主板１３の下面を覆う被覆板２３と、左右に長さを有しており背板５に取り付けられる裏板２５と、被覆板２３の左右両端において被覆板２３と裏板２５とを繋ぐ右側部２７及び左側部２９と、支持部３１と、操作補助ユニット６１と、を有している。主板１３の下面とは、使用位置においては下側の面に位置し、収納位置においては背板５とは反対側の前側となる面を意味するものとする。
【００２７】
収納部２１は被覆板２３、裏板２５、右側部２７、左側部２９、及び背板５によって箱状の形を構成するが、その上下は開放されている。被覆板２３が、本発明における被覆部の一例である。
【００２８】
右側部２７及び左側部２９それぞれには、収納部２１の内側を向く面に設けられた上下に延びるレール３５が設けられている。このレール３５に沿って後述する操作補助ユニット６１が移動するため、操作補助ユニット６１に支持される支持軸１７も上下方向に移動可能となり、これにより、テーブル板１１の上下方向の変位が可能となる。
【００２９】
図５に示すように、テーブル板１１が上方位置にあるときは、テーブル板１１は支持軸１７を中心として前方に回転して使用位置に移動することができる。一方、テーブル板１１が収納位置にあるとき、又は上方位置よりも下方に位置するときは、テーブル板１１は支持部３１と接触することで前方への回転が抑制されている。またテーブル板１１の後方への回転は裏板２５により抑制される。
【００３０】
支持部３１は、図３（Ｂ）などに示されるように、収納位置に位置するテーブル板１１と、被覆板２３と、の間の領域に配置されている。テーブル板１１と被覆板２３の間の領域とは、手掛け部１５の前端と被覆板２３の上端との間の領域を含むものである。
【００３１】
また支持部３１は回転軸４１を中心として回転可能に構成されている。回転軸４１は、テーブル板１１が収納位置と使用位置のいずれに位置する場合においても主板１３と平行になる方向に長さを有しており、被覆板２３の上側の領域において、被覆板２３の上端部に沿って設けられている。
【００３２】
また支持部３１は、回転軸４１と直交する仮想的な平面に投影したときにそれぞれ異なる方向に延び出す接触部５１及び延出部５３を有している。
収納部２１は、接触部５１が前方に向かう方向に支持部３１が回転した際に、延出部５３と接触することによって支持部３１が予め設定した以上に上記方向に回転することを抑制する回転抑制部５５を裏板２５に備えている。
【００３３】
図６（Ａ）〜（Ｅ）を用いて、支持部３１の動作を説明する。なおこれらの図では、理解を容易にする目的で腕部６９及び貫通穴６９ａの図示を省略している。
図６（Ａ）は、テーブル板１１が収納位置である状態である。テーブル板１１を上方に引き上げると、図６（Ｂ）のように、前方に回転可能な位置である上方位置に移動する。なおこの位置では、支持軸１７（即ち、支持軸１７を支持する腕部６９の貫通穴６９ａ）はレール３５の上端まで上がりきっていないが、前方に回転させることで支持軸１７は上方に移動する。もちろん、支持軸１７をレール３５の上端まで移動させてから回転させてもよい。
【００３４】
図６（Ａ）,（Ｂ）の状態において、支持部３１の接触部５１は背板５側に寄って位置している。後述するように、支持部３１は接触部５１が背板５側に向かう方向に付勢されているが、延出部５３が被覆板２３の後面に接触することで、上述した方向の回転は抑制される。
【００３５】
テーブル板１１を前方に回転させると、図６（Ｃ）〜（Ｄ）に示すように、接触部５１は主板１３に押されて回転軸４１を中心に前方に回転する。このとき、接触部５１の先端は主板１３の下面１３ａの表面を摺動する。また同時に延出部５３は後方に回転する。
【００３６】
さらに支持部３１が回転すると、図６（Ｅ）に示すように、延出部５３が回転抑制部５５に接触する。延出部５３が回転抑制部５５に接触することにより支持部３１の回転が抑制され、接触部５１がテーブル板１１の下面１３ａに接触してテーブル板１１を下方から支持する状態となる。上述した使用位置とはこの状態となる位置である。この使用位置において、テーブル板１１は主板１３が略水平となる。
【００３７】
テーブル板１１を使用位置から収納位置に戻す場合は、支持部３１は上述した動作と逆に動作する。
なお、図６（Ａ），（Ｂ）に示す支持部３１の位置が本発明における基部側位置の一例であり、図６（Ｅ）に示す支持部３１の位置が本発明における支持位置の一例である。支持部３１は、支持位置と基部側位置とを含む範囲で回転可能である。基部側位置とは、接触部５１が支持位置よりも背板５側に変位した位置である。
【００３８】
延出部５３は、テーブル板１１が収納位置に位置するとき、テーブル板１１と、被覆板２３と、の間の領域に位置する。そして、テーブル板１１が上方位置へ移動しさらに回転しても、延出部５３は被覆板２３より前方に移動することなく、常に被覆板２３よりも後方側（背板５側）に位置する。
【００３９】
また支持部３１は、図６（Ａ）〜（Ｅ）に示されるように、テーブル板１１が収納位置から使用位置までのどの位置にあるときも、テーブル板１１と、被覆板２３と、の間の領域に位置している。
【００４０】
テーブル板１１の下には、操作補助ユニット６１が設けられている。操作補助ユニット６１は、左右方向に長さを有し、テーブル板１１の主板１３の下端面と接触する本体部６３と、定荷重ばね６５と、ダンパー６７と、本体部６３の左右両端から上方向に伸びだす腕部６９と、を有している。
【００４１】
本体部６３の左右両端にはローラー６３ａが設けられ、また左右の腕部６９にはローラー６９ｂが設けられている。これらのローラーが右側部２７及び左側部２９のレール３５に沿って回転移動することにより、操作補助ユニット６１がレール３５の間を上下にスライドして移動する。
【００４２】
定荷重ばね６５は、テーブル板１１の重量よりも小さい力でテーブル板１１に上方への荷重を加えており、テーブル板１１が収納位置へ移動する際の落下速度を緩めるとともに、使用者のテーブル板１１の引き上げ操作を補助する。
【００４３】
また、ダンパー６７は定荷重ばね６５の引き出し動作の速度を緩め、テーブル板１１がゆっくりと下方位置へ下がるようにしている。なお、ダンパー６７はいわゆるワンウェイダンパであって、テーブル板１１を引き上げる際には作用しない。
【００４４】
定荷重ばね６５の先端は、図４（Ｂ）などに示されるように、延出部５３の係止棒５３ａに係止されている。よって、接触部５１には延出部５３が下方に向かう方向の荷重が常時加えられている。
【００４５】
支持部３１の内部構成を、図７、図８に基づいて説明する。なお支持部３１は左右略対象であるため、図８（Ａ），（Ｂ）では左側のみを説明する。
支持部３１には左右方向の貫通穴８１が形成されており、その内部に、筒状部８５、回転軸４１、巻きばね８７、連結パーツ８９、揺動ダンパ９１、連動パーツ９３が挿入される。支持部３１の左右両側の側面には、それら各部を支持部３１の側面から覆う側面カバー８３が固定されている。
【００４６】
筒状部８５は、その内部を回転軸４１が通過する筒状の部材であって、その外周には軸方向に延びる複数の突条８５ａが形成されており、この突条８５ａが貫通穴８１に形成されている溝８１ａに係止する。
【００４７】
回転軸４１は、サイドブロック９５に対して回転不能に固定される。サイドブロック９５は、右側部２７と左側部２９の上側部分に設けられる部材である。
巻きばね８７は、一端が回転軸４１の先端に回転不能に係止され、他端が筒状部８５に係止される。
【００４８】
揺動ダンパ９１の回動軸部９１ａは、連結パーツ８９を介して回転軸４１の先端に取り付けられる。また揺動ダンパ９１の本体部９１ｂは、連動パーツ９３を介して支持部３１に取り付けられる。連動パーツ９３は貫通穴８１に小さなクリアランスをもって挿入される円筒状の形状であって、その外周には軸方向に延びる複数の突条９３ａが形成されており、この突条９３ａが貫通穴８１に形成されている溝８１ａに係止する。
【００４９】
上述した構成である支持部３１は、回転軸４１を中心として回転する。支持部３１が回転しても回転軸４１自体は回転しないため、支持部３１は筒状部８５を介して巻きばね８７による付勢力を受ける。巻きばね８７の付勢方向は支持部３１が起き上がる方向、つまりテーブル板１１を使用位置から上方位置に戻す方向である。つまり、巻きばね８７は、テーブル板１１が使用位置へ倒れる際の速度を緩めるとともに、使用者が使用位置から上方位置へテーブル板１１を起き上がらせる操作を補助する。
【００５０】
また、揺動ダンパ９１が作用することで支持部３１が使用位置へ倒れる際の回転速度が抑制される。なお揺動ダンパ９１はいわゆるワンウェイダンパであるため、テーブル板１１が起き上がるときには作用しない。
【００５１】
ところで、テーブル板１１の上述した収納位置、上方位置、使用位置への変位は、収納部２１におけるレール３５、支持部３１、裏板２５、操作補助ユニット６１などの構成により実現される。このような機構を有する収納部２１が、本発明における可動機構部の一例である。
【００５２】
（２）効果
［２Ａ］本実施形態の収納式テーブル１では、支持部３１がテーブル板１１と被覆板２３との間に配置されているため、支持部３１により被覆板２３とテーブル板１１との間の隙間を埋めることができ、その隙間を小さくすることができる。よって、その隙間に指などが進入する危険を低減することができ、安全性の向上を図ることができる。
【００５３】
［２Ｂ］本実施形態の収納式テーブル１では、テーブル板１１が収納位置にあるときに、延出部５３が被覆板２３とテーブル板１１との間に位置しているため、延出部５３は被覆板２３によって外部から指などで接触しにくい位置となる。よって、延出部５３と回転抑制部５５やテーブル板１１との隙間に指などが進入する危険を低減することができ、安全性の向上を図ることができる。
【００５４】
［２Ｃ］本実施形態の収納式テーブル１では、支持部３１の回転軸４１が被覆板２３の上端部に沿って配置されているため、支持部３１が回転したときに支持部３１と被覆板２３との間の間隔が変化しにくい。よって、支持部３１の回転に伴う支持部３１と被覆板２３との隙間の大きさの変化が抑制されるため、その隙間が大きくなることを抑制でき、また仮にその隙間に指などが進入しても挟まれにくくなる。
【００５５】
［２Ｄ］本実施形態の収納式テーブル１では、支持部３１が回転するときに支持部３１の接触部５１とテーブル板１１とが接触した状態で摺動するため、その間に指などが挟まれてしまう危険を低減できる。
【００５６】
［２Ｅ］本実施形態の収納式テーブル１では、延出部５３は被覆板２３の内側面と接触するため、その接触する領域に指などが進入することが抑制される。これにより、安全性の向上を図ることができる。
【００５７】
（３）その他の特徴部分
（３−１）テーブル板１１の下端部の形状
図９に示すように、支持軸１７の中心からテーブル板１１の端部までの距離Ｌ１と、支持軸１７の中心から主板１３の表面までの距離Ｌ２と、を比較すると、Ｌ１＞Ｌ２となる。
【００５８】
このように支持軸１７が配置されているため、テーブル板１１が使用位置のときは、図６（Ｅ）に示すように下端面と裏板２５との隙間が小さくなりその隙間から紙などが落下してしまうことを抑制できる。また上方位置や下方位置のときは図６（Ｂ）などに示すように主板１３と被覆板２３又は裏板２５との間に隙間ができ、上下方向への移動をスムーズに実現できる。
【００５９】
なおテーブル板１１の下端部のうち、上方位置から使用位置に回転するときに上に上がる側の端面１３ｃは、その断面形状が、支持軸１７の中心からの距離がＬ１からＬ２へ徐々に変化するような曲面状になっている。
【００６０】
（３−２）手掛け部１５の下方の挿入空間１０１の形成
図１０に示すように、テーブル板１１が収納位置にあるとき手掛け部１５は主板１３から前方に突出している。また支持部３１の接触部５１は、被覆板２３の上方に位置する回転軸４１よりも後方側の位置において上方に延び出している。これにより、接触部５１の前方であって手掛け部１５の下方には手を挿入できる挿入空間１０１が形成される。
【００６１】
このように挿入空間１０１が形成されることで、使用者が手掛け部１５の下側面を操作しやすくなり、テーブル板１１をスムーズに移動させることができる。
（３−３）テーブル板１１の収納部２１に対する着脱機構
図４（Ｂ）を参照してテーブル板１１の収納部２１に対する着脱機構を説明する。支持軸１７は、固定ネジ１７ａを締めることにより固定されており、また固定ネジ１７ａを緩めることで左右方向の移動が可能に構成されている。支持軸１７を中心側（内側）に引っ込めた状態においては、支持軸１７の貫通穴６９ａによる軸支が解除されるためテーブル板１１を操作補助ユニット６１から取り外すことができる結果、テーブル板１１を収納部２１から取り外すことが可能となる。
【００６２】
なお本実施形態では支持軸１７は固定ネジ１７ａにより固定される構成を例示したが、外側に突出した状態を維持しうる様々な手段を用いることができる。例えば、支持軸１７はバネなどの弾性体により外側に押し出されており、荷重を加えることで内側に押し込むことができるように構成されていてもよい。
【００６３】
（３−４）巻きばね８７によるトルク調整
貫通穴８１の溝８１ａおよび筒状部８５の突条８５ａは、複数箇所に形成されており、軸方向に相対的に回転させて嵌めることができるように構成されている。よって、筒状部８５を貫通穴８１に挿入する際に、予め筒状部８５の回転角度を調整して巻きばね８７により支持部３１に加えられる荷重を調整して取り付けることができる。このように、支持部３１は巻きばね８７によるトルクの調整を容易に実行することができる。
【００６４】
（３−５）左右方向に長さを有する支持部３１
支持部３１はテーブル板１１の左側領域から右側領域に亘って延び、テーブル板１１の左右方向の幅と略同じ幅の長さを有している。そのため、貫通穴８１は横方向に長く形成されており、巻き数が多いため長くなった巻きばね８７を用いることができる。巻き数が多い巻きばね８７は、回転方向の荷重を受けたときの変位量に対するトルクの変化が小さいため、支持部３１に比較的安定したトルクを与えることができる。
【００６５】
また、左右に長さを有する支持部３１にてテーブル板１１を支持することができ、さらに、収納状態においては支持部３１にて左右に広くテーブル板１１を覆うことができる。これらによって、テーブル板１１のがたつきの発生を抑制できる。
【００６６】
（３−６）突出部１３ｂによるがたつきの低減
主板１３の下面１３ａには、突出部１３ｂが形成されている。そして、図６（Ａ）に示すように、収納位置においては支持部３１の接触部５１が突出部１３ｂに接触する。また、接触部５１は突出部１３ｂ側に付勢されている。したがって、突出部１３ｂにより収納位置にあるときの主板１３の前後方向の可動範囲を縮小でき、テーブル板１１のがたつきの発生を抑制できる。
【００６７】
なお、テーブル板１１を上昇させると突出部１３ｂと支持部３１との接触は解除され、また図６（Ｂ）に示すように、その状態においてテーブル板１１と支持部３１とが接触しないように構成されている。そのため、テーブル板１１を収納位置から上昇させると、支持部３１と突出部１３ｂとが接触してテーブル板１１の上下動を阻害すること無く都合がよい。
【００６８】
［変形例］
以上本発明の実施形態について説明したが、本発明は、上記実施形態に何ら限定されることはなく、本発明の技術的範囲に属する限り種々の形態をとり得ることはいうまでもない。
【００６９】
例えば、上記実施形態においては、支持部３１は収納位置に位置するテーブル板１１と、被覆板２３と、の間の領域に配置されている構成を例示したが、支持部３１の一部がその領域からはみ出している構成であってもよい。
【００７０】
また上記実施形態においては、延出部５３は被覆板２３の裏面側に位置する構成を例示したが、延出部５３の主要部が被覆板２３の裏面側にあれば、その一部が被覆板２３の前方に位置する構成であってもよい。
【００７１】
また、上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００７２】
１…収納式テーブル、３…椅子、５…背板、１１…テーブル板、１３…主板、１３ａ…下面、１３ｂ…突出部、１５…手掛け部、１７…支持軸、２１…収納部、２３…被覆板、２５…裏板、２７…右側部、２９…左側部、３１…支持部、３５…レール、４１…回転軸、５１…接触部、５３…延出部、５５…回転抑制部、６１…操作補助ユニット、８１…貫通穴、８１ａ…溝、８５…筒状部、８５ａ…突条、９１…揺動ダンパ、９１ａ…回動軸部、９１ｂ…本体部、９３…連動パーツ、９３ａ…突条、１０１…挿入空間
【図１】
0006588230.tif 000002
【図２】
0006588230.tif 000003
【図３】
0006588230.tif 000004
【図４】
0006588230.tif 000005
【図５】
0006588230.tif 000006
【図６】
0006588230.tif 000007
【図７】
0006588230.tif 000008
【図８】
0006588230.tif 000009
【図９】
0006588230.tif 000010
【図１０】
0006588230.tif 000011